(57)【要約】【課題】メガネフレームのデザイン変更を容易にする。【解決手段】メガネフレーム本体２と、メガネフレーム本体に対してその上側及び下側から嵌合溝３ａ，４ａ，５ａを介して着脱可能であって、メガネフレーム本体を被覆状態に装飾するための上装飾リムカバー３及び対の下装飾リムカバー４，５と、メガネフレーム本体に上装飾リムカバー３及び両下装飾リムカバー４，５をそれぞれ磁石からなる第１結合部材７１と、鉄片からなる第２結合部材７２及び第３結合部材７３を有する磁気結合手段６とからなり、第１結合部材はブリッジ２３両側内側と、両レンズリムの外側内側に、第２結合部材は上装飾リムカバー３の中央部分両側及び外側両側部に、第３結合部材は上記両下装飾リムカバーの両側端にそれぞれ取付けてあって、第１結合部材に対して第２結合部材は上側の位置で、第３結合部材は下側の位置で、対向しかつ磁気的に結合可能である。【選択図】      図１
2005018000.tif 000002
【特許請求の範囲】
【請求項１】
対のレンズリムをブリッジで連結しているメガネフレーム本体と、
このメガネフレーム本体にこれの上側及び下側から嵌合溝を介して着脱可能であって、上記メガネフレーム本体を被覆状態に装飾するための上装飾リムカバー及び対の下装飾リムカバーと、
上記メガネフレーム本体に上装飾リムカバー及び両下装飾リムカバーをそれぞれ磁気力により固定する磁気結合手段と
を備えており、
上記上装飾リムカバーの嵌合溝は、上記上装飾リムカバーに全長に亘って形成されていると共に、上記両レンズリムの上側部及び上記ブリッジに嵌合可能であり、
上記両下装飾リムカバーの各嵌合溝は、上記下装飾リムカバーに全長に亘って形成されていると共に、上記両レンズリムの下側部側に嵌合可能であり、
上記磁気結合手段は、ブリッジ両側内側に設けてある支持部及び両レンズリムの外側のテンプルの基部の内側に設けてある支持部にそれぞれ取付けてある第１結合部材と、上記上装飾リムカバーの中央部分両側及び外側両側部に設けてある支持部にそれぞれ取付けてある第２結合部材と、上記両下装飾リムカバーの両側端に設けてある支持部にそれぞれ取付けてある第３結合部材とからなり、
上記第２結合部材は上記第１結合部材に対して上側において対向しかつ磁気的に結合可能であり、上記第３結合部材は上記第１結合部材に対して下側において対向しかつ磁気的に結合可能である
ことを特徴とするメガネフレーム。
【請求項２】
第１結合部材は磁石であり、第２結合部材及び第３結合部材は鉄片であることを特徴とする請求項１記載のメガネフレーム。
【請求項３】
第１結合部材は鉄片であり、第２結合部材及び第３結合部材は磁石であることを特徴とする請求項１記載のメガネフレーム。
【発明の詳細な説明】
【０００１】
【発明の属する技術分野】
本発明は装飾可能なメガネフレーム本体に関する。
【０００２】
【従来の技術】
従来より、部品を組み合せて多様なデザインに変更できるメガネフレームが提案されている。例えば実開平５−２７７１９号公報に記載の眼鏡枠体によれば、プラスチック製の一対のレンズフレームの上側の外周をレンズ支持フレームで着脱可能に覆うものである。レンズフレームとレンズ支持フレームとを、色彩、形態及び模様が異なるものを豊富に取り揃えておき、需要者の嗜好に合った眼鏡を提供しようとするものである。
【０００３】
【発明が解決しようとする課題】
従来の眼鏡枠体によれば、ＴＰＯに応じた需要者の嗜好に合ったものを提供することができるものの、レンズフレームに対するレンズ支持フレームの取付けはビス止め方式である。このため、ビス回しが必要であることからレンズ支持フレームの交換作業に手間がかかり、デザイン変更が面倒となる不都合があった。
本発明の目的はデザイン変更を容易にすることにある。
【０００４】
【課題を解決するための手段】
本発明は、対のレンズリムをブリッジで連結しているメガネフレーム本体と、このメガネフレーム本体にこれの上側及び下側から嵌合溝を介して着脱可能であって、上記メガネフレーム本体を被覆状態に装飾するための上装飾リムカバー及び対の下装飾リムカバーと、上記メガネフレーム本体に上装飾リムカバー及び両下装飾リムカバーをそれぞれ磁気力により固定する磁気結合手段とを備えているものである。上記上装飾リムカバーの嵌合溝は、上記上装飾リムカバーに全長に亘って形成されていると共に、上記両レンズリムの上側部及び上記ブリッジに嵌合可能である。上記両下装飾リムカバーの各嵌合溝は、上記下装飾リムカバーに全長に亘って形成されていると共に、上記両レンズリムの下側部側に嵌合可能である。上記磁気結合手段は、ブリッジ両側内側に設けてある支持部及び両レンズリムの外側のテンプルの基部の内側に設けてある支持部にそれぞれ取付けてある第１結合部材と、上記上装飾リムカバーの中央部分両側及び外側両側部に設けてある支持部にそれぞれ取付けてある第２結合部材と、上記両下装飾リムカバーの両側端に設けてある支持部にそれぞれ取付けてある第３結合部材とからなる。上記第２結合部材は上記第１結合部材に対して上側において対向しかつ磁気的に結合可能であり、上記第３結合部材は上記第１結合部材に対して下側において対向しかつ磁気的に結合可能である。
【０００５】
【発明の実施の形態】
図１〜図３に示すメガネフレーム１は、メガネフレーム本体２、上装飾リムカバー３、対の下装飾リムカバー４，５及び磁気結合手段６からなる。
図１〜図２及び図７〜図８に示すように、メガネフレーム本体２は一対のレンズリム２１，２２間をブリッジ２３で連結したものである。ブリッジ２３の両側下方のレンズリム２１，２２の内側に取付け部２４，２４を介して鼻当て（図示せず。）を設けてある。９はレンズである（図４）。
図１〜図５に示すように、上装飾リムカバー３はメガネフレーム本体２の上側部分すなわち左右のレンズリム２１，２２の上側縁部及びブリッジ２３を覆って、メガネフレーム１の上側を飾る役割をしている。上装飾リムカバー３は下面側から上面側に切込んだ嵌合溝３ａが全長に亘って形成されている。上装飾リムカバー３は嵌合溝３ａを通じてレンズリム２１，２２及びブリッジ２３に離脱可能に嵌め込まれる。
図１、図２、図４、図５及び図９に示すように、各下装飾リムカバー４，５は左右のレンズリム２１，２２の下側を覆って上装飾リムカバー３と共に、メガネフレーム１の全体を覆うものである。各下装飾リムカバー４，５は上側面から下側面に向けて、全長にわたって嵌合溝４ａ，５ａが形成されている。
磁気結合手段６について説明する。
メガネフレーム本体２の４箇所の部位に板状の支持部（図１及び図２では左端に位置している支持部を除いた３箇所の支持部６１ａ，６２ａ，６３ａを図示）を設けてある。図１、図７及び図８に示すように、メガネフレーム本体２の両側に位置している支持部６１ａはレンズリム２１，２２の外側上部のテンプルの基部８に対応する位置に設けられている。支持部６２ａ，６３ａはブリッジ２３の両端内側に設けられている。各支持部６１ａ，６２ａ，６３ａには第１結合部材であるボタン状の磁石７１をそれぞれ埋め込んで、上下両端面を露出させている。
上装飾リムカバー３の両側端及び中央部側の併せて４箇所に支持部（図１及び図２では左端に位置している支持部を除いた支持部６１ｂ，６２ｂ，６３ｂを図示）を設けてある。各支持部６１ｂ，６２ｂ，６３ｂには第２結合部材である鉄片７２を埋め込んである。
各下装飾リムカバー４，５の両端に水平に延びた支持部（図１及び図２では下装飾リムカバー５の左端に位置している支持部を除いた他の支持部６１ｃ，６２ｃ，６３ｃを図示）を設けてある。各支持部６１ｃ，６２ｃ，６３ｃには第３結合部材である鉄片７３を埋め込んである。
各支持部６１ａ，６２ａ，６３ａを挟んで上下両側から支持部６１ｂ，６２ｂ，６３ｂ及び支持部６１ｃ，６２ｃ，６３ｃが重なり合い、図６に示すように各磁石７１は上下両側で鉄片７２，７３と対向状態に重なり合って、磁石の磁気力によって鉄片７２，７３と互いに一体的に結合される。
【０００６】
次にレンズフレーム１の使用方法について説明する。
図１０（ａ）に示すメガネフレーム本体２の状態から、まず、上装飾リムカバー３を用いて、メガネフレーム本体の上側を覆う。この場合、上装飾リムカバー３をその嵌合溝３ａを利用して、各レンズリム２１，２２及びブリッジ２３の上側に嵌め込み、嵌め込み操作により、メガネフレーム本体２の各磁石７１に、上装飾リムカバー３の各鉄片７２がそれぞれ重なり合う。このために、図１０（ｂ）に示すように、各磁石７１の磁気力により、各鉄片７２が対向している各磁石に吸着されて、上装飾リムカバー３は４箇所の部位でメガネフレーム本体２に固定される。
固定後、下装飾リムカバー４，５を用いて、メガネフレーム本体２のレンズリム２１，２２の下側部を覆う。この場合、各下装飾リムカバー４，５の嵌合溝４ａ，５ａをレンズリム２１，２２にその下側から嵌め込む。この嵌め込みを通じて、メガネフレーム本体２の各磁石７１に、下装飾リムカバー４，５の各鉄片７３がそれぞれ重なり合うために、図１０（ｃ）に示すように、各磁石７１の磁気力によって、各鉄片７３は対向している各磁石に吸着され、下装飾リムカバー４，５が４箇所の部位でメガネフレーム本体２に固定される。
この結果、図１０（ｃ）に示すようなメガネフレーム本体２が上装飾リムカバー３と下装飾リムカバー４，５によって上下両側から覆われ装飾されたメガネフレーム１となる。
【０００７】
他の使用方法として、メガネフレーム本体２の上側だけを装飾させたい場合には、図１０（ａ）に示すメガネフレーム本体２の状態から図１０（ｂ）に示すように上装飾リムカバー３をメガネフレーム本体の上側に装着すれば良い。
【０００８】
メガネフレーム１の使用方法としては、図１０（ａ）に示すメガネフレーム本体２をそのまま使用する方法、図１０（ｂ）に示す上装飾リムカバー３でメガネフレーム本体２の上側を装飾して使用する方法、図１０（ｃ）に示す上装飾リムカバー３及び下装飾リムカバー４，５でメガネフレーム本体２全体を装飾して使用する方法、さらにメガネフレーム本体２の下側だけを下装飾リムカバー４，５で装飾して使用する方法がある。これらの使用法は、メガネフレームを使用する時や場所などを考慮に入れて適宜選択する。
メガネフレーム１のデザインの多様化を図るために、メガネフレーム１に対して模様や形状などが異なる複数種類の上装飾リムカバー３及び下装飾リムカバー４，５を用意しておくことが望ましい。
【０００９】
磁気結合手段６における第１結合部材７１、第２結合部材７２及び第３結合部材７３の相互の材質関係に関して、第２及び第３結合部材７２，７３が第１結合部材７１に対してそれぞれ磁気的に結合可能であれば良く、その構成は上例に限られない。例えば第２及び第３結合部材７２，７３は鉄片に代えて磁石であっても良い。第１結合部材７１を鉄片とし、第２及び第３結合部材７２，７３は磁石とする構成であっても良い。
【００１０】
【発明の効果】
本発明によれば、使用者の希望に応じて、メガネフレームのデザイン変更を容易にすることができる。
【図面の簡単な説明】
【図１】この発明に係るメガネフレームの主要部を示す一部切欠分解図である。
【図２】この発明に係るメガネフレームの主要部を示す背面図である。
【図３】図２に示すメガネフレームを示す平面図である。
【図４】図２のＩＶ−ＩＶ線に沿う端面図である。
【図５】図２のＶ−Ｖ線に沿う拡大端面図である。
【図６】磁石とこの磁石の上下に位置している鉄片との位置関係を概略的に示す説明図である。
【図７】図２に示すメガネフレーム本体に係るメガネフレーム本体の主要部を示す平面図である。
【図８】メガネフレーム本体の主要部を概略的に示す斜視図である。
【図９】この発明に係るメガネフレームの一方の下装飾リムカバーの平面図である。
【図１０】この発明に係るメガネフレームの使用過程を示す正面図である。
【符号の説明】
１                                メガネフレーム
２                                メガネフレーム本体
２１，２２                        レンズリム
２３                              ブリッジ
３                                上装飾リムカバー
３ａ                              嵌合溝
４，５                            下装飾リムカバー
４ａ，５ａ                        嵌合溝
６                                磁気結合手段
６１ａ，６２ａ，６３ａ            支持部
６１ｂ，６２ｂ，６３ｂ            支持部
６１ｃ，６２ｃ，６３ｃ            支持部
７１                              磁石（第１結合部材）
７２                              鉄片（第２結合部材）
７３                              鉄片（第３結合部材）
８                                テンプルの基部
【図１】
2005018000.tif 000003
【図２】
2005018000.tif 000004
【図３】
2005018000.tif 000005
【図４】
2005018000.tif 000006
【図５】
2005018000.tif 000007
【図６】
2005018000.tif 000008
【図７】
2005018000.tif 000009
【図８】
2005018000.tif 000010
【図９】
2005018000.tif 000011
【図１０】
2005018000.tif 000012